(57)【要約】      （修正有）【課題】買物客がショッピングカートの固定がスムーズに出来るようにし、かつ、レジ係からはショッピングカートの下段が見えるようにすることにより、商品の精算を円滑に行なうとともに、カゴ抜けを防止することのできるカートインカウンタを提供する。【解決手段】バーコード読取機を設置した本体６０と、チェックインカウンタ４０と、チェックアウトカウンタ５０とからなるカートインカウンタ１０であって、前記本体に対して前記チェックインカウンタと前記チェックアウトカウンタとはいずれも段差を有し、かつ、前記チェックインカウンタ４０はカート止め７０及び透明な天板８０を備えてカートインカウンタとした。【選択図】図１
0003176648.tif 000002
【実用新案登録請求の範囲】
【請求項１】
バーコード読取機を設置した本体と、
チェックインカウンタと、
チェックアウトカウンタとからなるカートインカウンタであって、
前記本体に対して前記チェックインカウンタと前記チェックアウトカウンタとはいずれも段差を有し、かつ、前記チェックインカウンタ及びチェックアウトカウンタは透明な天板を備えており、さらにチェックアウトカウンタはカート止めを備えていることを特徴とするカートインカウンタ。
【請求項２】
前記チェックインカウンタの透明な天板はレジ係側に傾斜しており、かつ、表面が透明フィルムで保護されていることを特徴とする請求項１に記載のカートインカウンタ。
【考案の詳細な説明】
【技術分野】
【０００１】
本考案は、スーパーマーケット等において買物客がショッピングカートを使用して買物カゴ内に詰めた商品をカウンタで精算するのに用いるカートインカウンタに関する。
【背景技術】
【０００２】
従来から、スーパーマッケット等においては、買物客がショッピングカートに買物カゴを載せて店内を回り、商品を買物カゴ内に詰めた後、カウンタに持ち込んで、商品の精算を行なっていた。カウンタでは、買物客は買物カゴをショッピングカートごとそのまま、又は、ショッピングカートから取出してカウンタ台の上に降ろし、レジ係は買物カゴ内から商品を取出し、バーコード読取機で商品のスキャンニングを行なった後、別の空きの買物カゴ内に収容していた。買物客はレジで会計を済ませた後、レジ係によって商品が詰められた買物カゴを手で持って、又は、再びショッピングカートに載せてサッカー台に移動し、買物袋に詰めていた。
【先行技術文献】
【特許文献】
【０００３】
【特許文献１】実用新案登録弟３１４０８２１号
【考案の概要】
【考案が解決しようとする課題】
【０００４】
しかし、買物客がショッピングカートを使用しての買物時において、カウンタ台にて商品を詰めた買物カゴを精算するためにショッピングカートごとカウンタ台にセットする際、チェックイン側のカウンタ及びチェックアウト側のカウンタとバーコード読取機等を設置したカウンタ本体の高さは全て同じであり段差が無いため、ショッピングカートをセットする位置を決めにくく固定がスムーズに出来ないことによりカウンタ台での精算作業に手間取ることもあった。
【０００５】
また、ショッピングカートは通常、買物カゴを上下二段に設置できるような構造になっている。そしてチェックインカウンタ及びチェックアウトカウンタは、一般的にスチール製であり透明では無く、レジ係の位置からはショッピングカートの下段が見えないため、レジ係がショッピングカートの下段に積んである買物カゴの存在に気づかないことがあり得る。
【０００６】
本考案は、上記課題に鑑み、買物客がショッピングカートの固定がスムーズに出来るようにし、かつ、レジ係からはショッピングカートの下段が見えるようにすることにより、商品の精算を円滑に行なうとともに、カゴ抜け（いわゆる万引き）を防止することのできるカートインカウンタを提供することを目的とする。
【課題を解決するための手段】
【０００７】
上記課題を解決するために本考案は、バーコード読取機を設置した本体と、チェックインカウンタと、チェックアウトカウンタとからなるカートインカウンタであって、前記本体に対して前記チェックインカウンタと前記チェックアウトカウンタとはいずれも段差を有し、かつ、前記チェックインカウンタ及びチェックアウトカウンタは透明な天板を備えており、さらにチェックアウトカウンタはカート止めを備えていることを特徴とするカートインカウンタであることをその要旨とした。
【０００８】
本発明に係るカートインカウンタは、カウンタ本体に対してチェックインカウンタとチェックアウトカウンタとはいずれも段差を有している。すなわち、カウンタ本体の高さに対して、チェックインカウンタとチェックアウトカウンタの高さは低くなっている。チェックインカウンタの透明な天板、及び、チェックアウトカウンタの透明な天板とスチール製のカウンタ本体の段差により、買物客は精算の際のショッピングカートの買物客側から見て右端のセット位置がカウンタ本体の側面であることが明確になる。このことにより買物客がショッピングカートをカートインカウンタにセットする作業がスムーズに出来るようになる。
【０００９】
さらに、チェックインカウンタ及びチェックアウトカウンタは透明な天板を備えており、レジ係はショッピングカートの下段を視認することができるため、カゴ抜け（いわゆる万引き）を防止することができる。
【００１０】
上記課題を解決するために本考案は、前記チェックインカウンタの透明な天板はレジ係側に傾斜しており、かつ、表面が透明フィルムで保護されていることを特徴とするカートインカウンタであることをその要旨とした。
【００１１】
チェックインカウンタに備えられた透明な天板はレジ係側に傾斜しているので、レジ係がバーコード読取機で商品の精算をするために買物カゴ内から商品を取出す前に、ショッピングカートから取出した買物カゴを手前に引き寄せる際、買物カゴの移動がスムーズに出来る。またチェックインカウンタの透明な天板の表面がフィルムで保護されていることにより透明な天板の表面にキズがつくことがほとんど無くなるため、いつまでも透明で視界良好な表面を保つことが出来るし、樹脂製の透明な天板を保護することが出来る。保護フィルムは印刷などの加工が可能であり、保護フィルムに広告等を印刷する事でお客にアピールすることも出来る。
【考案の効果】
【００１２】
本発明に係るカートインカウンタによれば、チェックインカウンタとカートインカウンタ本体との段差によりショッピングカートのセットがスムーズに出来るようになり、かつ、
チェックアウトカウンタに備えられたカート止めにより、ショッピングカートの固定がスムーズに出来るようになり、商品の精算を円滑に行なうとともに、チェックインカウンタ及びチェックアウトカウンタに備えられた透明な天板によりレジ係がショッピングカートの下段が見えるようになったことにより、カゴ抜け（いわゆる万引き）を防止が出来るようになった。またカゴのせ台となるチェックインカウンタがレジ係側に傾斜していることにより、レジ係が買物カゴを移動しやすくなった。
【図面の簡単な説明】
【００１３】
【図１】本考案に係るレジ係側から見たカートインカウンタを示す斜視図である。
【図２】本考案に係る買物客側から見たカートインカウンタを示す斜視図である。
【考案を実施するための形態】
【００１４】
以下、本考案を実施するための形態について、図１乃至図２に基づいて説明する。ここで、図１は本考案に係るカートインカウンタを買物客側から見た斜視図、図２はレジ係側から見たカートインカウンタ１０を示す斜視図である。
【００１５】
次に、上記のように構成されたカートインカウンタ１０による商品の精算方法を買物客がショッピングカート２０を使用しての買物においてカウンタで精算する場合について説明する。まず、買物客は店内入口で空きの買物カゴをショッピングカート２０のカゴ受けに上方から載置する。次に、買物客はショッピングカート２０を押し進めながら店内の商品をショッピングカート２０のカゴ受けに載置された買物カゴに詰め終わったら、カートインカウンタ１０のチェックインカウンタ４０側に向かう。
【００１６】
カートインカウンタ１０のチェックインカウンタ４０側においては、買物客はカートインカウンタ１０に対向してその前方よりショッピングカート２０を押し進めて接近し、図１のカートインカウンタ本体６０とチェックインカウンタ４０のカートインカウンタ１０の側面とチェックインカウンタ４０に向けて、ショッピングカート２０を押し進める。そのまま更にショッピングカート２０を前方に押し進めることにより、図１のようにショッピングカート２０をカートインカウンタ１０にセットする。
【００１７】
ショッピングカート２０がカートインカウンタ１０にセットされた後、レジ係はショッピングカート２０から買物カゴをカートインカウンタ１０の上に移動させる。この時レジ係はバーコード読取機で商品の精算をするために買物カゴ内から商品を取出す前に、買物カゴを買物カゴごとショッピングカートから取出し、チェックインカウンタ上に置いてから手前に引き寄せるのであるが、チェックインカウンタ１０にはレジ係に向かって傾斜があるため、買物カゴの移動がスムーズに出来る。買物客は買物カゴが無くなったショッピングカート２０をチェックアウトカウンタ５０側に移動させる。この時買物客はショッピングカートをカート止め７０とカウンタ本体６０の間に設置する。カート止め７０はカウンタ本体６０の側面からショッピングカートの幅に合わせた位置に設置されているため買物客はショッピングカート２０をチェックアウトカウンタ５０に容易に固定することが出来る。
【００１８】
レジ係は買物カゴをバーコード読取機３０の前に置き、買物カゴ内から商品を１つずつ取り出してバーコード読取機３０によって商品のバーコードを読取り、カウンタ本体６０のレジ係から見て左側に設置した空の買物カゴに商品を１つずつ順次詰めていく。レジ係は商品を詰め終わった買物カゴをショッピングカートに運び入れる。そして、買物カゴ内の全ての商品の精算が終了したら、買物客は精算後の買物カゴを再びショッピングカート２０ごとサッカー台まで運んで、買物カゴ内の商品を袋に詰める。これにより、商品の購入は完了する。
【００１９】
本発明に係るカートインカウンタ１０によれば、チェックインカウンタ４０の透明な天板８０とスチール製のカウンタ本体６０の段差、及びカート止め７０により、買物客が精算のためにショッピングカート２０をカートインカウンタ１０のチェックインカウンタ４０への固定がスムーズに出来るようになり、商品の精算を円滑に行なう事が出来るようになった。
【００２０】
さらにチェックインカウンタ４０が透明な天板８０を備えていることにより、レジ係がショッピングカート２０の下段も見えるようになったため、カゴ抜け（いわゆる万引き）を防止が出来るようになった。またチェックインカウンタ４０がレジ係側に傾斜していることにより、レジ係が精算する前に、買物カゴを手前に引き寄せる際、買物カゴの移動がスムーズに出来る。
【符号の説明】
【００２１】
１０          カートインカウンタ
２０          ショッピングカート
３０          バーコード読取機
４０          チェックインカウンタ
５０          チェックアウトカウンタ
６０          カウンタ本体
７０          カート止め
８０          透明な天板
【図１】
0003176648.tif 000003
【図２】
0003176648.tif 000004